【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
プロセッサ、メモリ及びインタフェースを備える第１計算機と、プロセッサ、メモリ及びインタフェースを備える第２計算機と、プロセッサ、メモリ及びインタフェースを備え、前記第１計算機及び前記第２計算機にネットワークを介して接続されるパスワード管理装置と、を備える暗号化ファイル受渡システムであって、
前記第１計算機は、電子ファイルを暗号化することによって、暗号化ファイルを作成し、
前記パスワード管理装置は、
前記暗号化ファイルを復号化するための復号用パスワードと前記第２計算機のユーザの電話番号との対応を含むパスワード情報を記憶し、
発信者番号通知を伴ったダイヤルを受け付け、
前記第２計算機から復号用パスワード要求を受信し、
前記受信した復号用パスワード要求によって要求された復号用パスワードを特定し、
前記パスワード情報を参照して、前記特定された復号用パスワードに対応する電話番号を特定し、
前記特定された電話番号を発信元とするダイヤルを受け付けたか否かを判定し、
当該ダイヤルを受け付けた場合、前記特定された復号用パスワードを、前記受信した復号用パスワード要求の送信元の前記第２計算機に送信し、
前記第２計算機は、前記送信された復号用パスワードを用いて、前記第１計算機によって作成された暗号化ファイルを復号化することを特徴とする暗号化ファイル受渡システム。
【請求項２】
プロセッサ、メモリ及びインタフェースを備える第１計算機と、プロセッサ、メモリ及びインタフェースを備える第２計算機と、プロセッサ、メモリ及びインタフェースを備え、前記第１計算機及び前記第２計算機にネットワークを介して接続されるパスワード管理装置と、を備える暗号化ファイル受渡システムであって、
前記第１計算機は、電子ファイルを暗号化することによって、暗号化ファイルを作成し、
前記パスワード管理装置は、
前記暗号化ファイルを復号化するための復号用パスワードと前記第２計算機のユーザのメールアドレスとの対応を含むパスワード情報を記憶し、
メールを受信し、
前記第２計算機から復号用パスワード要求を受信し、
前記受信した復号用パスワード要求によって要求された復号用パスワードを特定し、
前記パスワード情報を参照して、前記特定された復号用パスワードに対応するメールアドレスを特定し、
前記特定されたメールアドレスを送信元とするメールを受信したか否かを判定し、
当該メールを受信した場合、前記特定された復号用パスワードを、前記受信した復号用パスワード要求の送信元の前記第２計算機に送信し、
前記第２計算機は、前記送信された復号用パスワードを用いて、前記第１計算機によって作成された暗号化ファイルを復号化することを特徴とする暗号化ファイル受渡システム。
【請求項３】
プロセッサ、メモリ及びインタフェースを備える第１計算機と、プロセッサ、メモリ及びインタフェースを備える第２計算機と、プロセッサ、メモリ及びインタフェースを備え、前記第１計算機及び前記第２計算機にネットワークを介して接続されるパスワード管理装置と、を備える暗号化ファイル受渡システムであって、
前記第１計算機は、電子ファイルを暗号化することによって、暗号化ファイルを作成し、
前記パスワード管理装置は、
前記暗号化ファイルを復号化するための復号用パスワードと前記第２計算機のユーザの固有な情報との対応を含むパスワード情報を記憶し、
ユーザの固有な情報を受信し、
前記パスワード情報を参照して、前記受信した固有な情報に対応する復号用パスワードを特定し、
前記特定した復号用パスワードを前記第２計算機に送信し、
前記第２計算機は、前記送信された復号用パスワードを用いて、前記第１計算機によって作成された暗号化ファイルを復号化することを特徴とする暗号化ファイル受渡システム。
【請求項４】
プロセッサ、メモリ及びインタフェースを備える第１計算機と、プロセッサ、メモリ及びインタフェースを備える第２計算機と、プロセッサ、メモリ及びインタフェースを備え、前記第１計算機及び前記第２計算機にネットワークを介して接続されるパスワード管理装置と、を備える暗号化ファイル受渡システムであって、
前記第１計算機は、電子ファイルを暗号化することによって、暗号化ファイルを作成し、
前記パスワード管理装置は、
前記暗号化ファイルを復号化するための復号用パスワードと前記第２計算機のユーザのユーザエージェントアドレスとの対応を含むパスワード情報を記憶し、
シグナリングを受信し、
前記第２計算機から復号用パスワード要求を受信し、
前記受信した復号用パスワード要求によって要求された復号用パスワードを特定し、
前記パスワード情報を参照して、前記特定された復号用パスワードに対応するユーザエージェントアドレスを特定し、
前記特定されたユーザエージェントアドレスを送信元とするシグナリングを受信したか否かを判定し、
当該シグナリングを受信した場合、前記特定された復号用パスワードを、前記受信した復号用パスワード要求の送信元の前記第２計算機に送信し、
前記第２計算機は、前記送信された復号用パスワードを用いて、前記第１計算機によって作成された暗号化ファイルを復号化することを特徴とする暗号化ファイル受渡システム。
【請求項５】
前記第１計算機は、前記作成した暗号化ファイルに、当該暗号化ファイルの復号化処理を行う実行部を含め、
前記第２計算機は、前記暗号化ファイルに含まれる前記実行部を実行することによって、前記第１計算機によって作成された暗号化ファイルを復号化することを特徴とする請求項１から４のいずれか一つに記載の暗号化ファイル受渡システム。
【請求項６】
前記パスワード管理装置は、
前記復号用パスワード及び前記電子ファイルを暗号化するための暗号用パスワードを作成し、
前記第２計算機のユーザの電話番号を前記第１計算機から受信し、
前記受信した第２計算機のユーザの電話番号及び前記作成した復号用パスワードを、関連付けて前記パスワード情報に格納し、
前記作成した暗号用パスワードを前記第１計算機に送信し、
前記第１計算機は、前記送信された暗号用パスワードを用いて電子ファイルを暗号化することによって、暗号化ファイルを作成することを特徴とする請求項１に記載の暗号化ファイル受渡システム。
【請求項７】
前記パスワード管理装置は、
前記復号用パスワード及び前記電子ファイルを暗号化するための暗号用パスワードを作成し、
前記第２計算機のユーザのメールアドレスを前記第１計算機から受信し、
前記受信した第２計算機のユーザのメールアドレス及び前記作成した復号用パスワードを、関連付けて前記パスワード情報に格納し、
前記作成した暗号用パスワードを前記第１計算機に送信し、
前記第１計算機は、前記送信された暗号用パスワードを用いて電子ファイルを暗号化することによって、暗号化ファイルを作成することを特徴とする請求項２に記載の暗号化ファイル受渡システム。
【請求項８】
前記パスワード管理装置は、
前記復号用パスワード及び前記電子ファイルを暗号化するための暗号用パスワードを作成し、
前記第２計算機のユーザのユーザエージェントアドレスを前記第１計算機から受信し、
前記受信した第２計算機のユーザのユーザエージェントアドレス及び前記作成した復号用パスワードを、関連付けて前記パスワード情報に格納し、
前記作成した暗号用パスワードを前記第１計算機に送信し、
前記第１計算機は、前記送信された暗号用パスワードを用いて電子ファイルを暗号化することによって、暗号化ファイルを作成することを特徴とする請求項４に記載の暗号化ファイル受渡システム。
【請求項９】
前記固有な情報は、静脈情報、指紋情報、声紋情報、フェリカカードのＩＤ、又は携帯電話の識別情報、電話番号及びメールアドレスのいずれかであることを特徴とする請求項３に記載の暗号化ファイル受渡システム。
【請求項１０】
第１計算機に、
電子ファイルを暗号化することによって、暗号化ファイルを作成するステップと、
前記作成された暗号化ファイルに、当該暗号化ファイルの復号化処理を行う実行部を含めるステップと、を実行させるプログラムであって、
前記作成された暗号化ファイルは、
第２計算機によって実行されると、自らを復号化するための復号用パスワードを取得し、
前記取得された復号用パスワードを用いて、自らを復号化することを特徴とするプログラム。